(57)【要約】【課題】  本発明は、ＮＤフィルタを回動させるときに発生する摺動負荷を小さくすると共に、ＮＤフィルタを駆動する機構を簡単にして部品点数を少なくすることができる絞り兼用シャッタ駆動装置を提供すること。【解決手段】  本発明の絞り兼用シャッタ駆動装置のＮＤフィルタ３７は、ベース部材２５に形成した開口部２５ａを覆う方向あるいは待避する方向に移動可能になっており、ベース部材２５には、アクチュエータ２１の駆動力が伝達されて所定の角度回転可能な駆動リング２７が配設されていると共に、ＮＤフィルタ３７を回動自在に支持するフィルタ支持部２６ｊが形成され、駆動リング３７を時計回り方向または反時計回り方向に所定の角度回転させると、ＮＤフィルタ３７が開口部２５ａを覆う方向あるいは待避する方向に移動可能になっている。【選択図】        図１
2005156897.tif 000002
【特許請求の範囲】
【請求項１】
所定厚さのベース部材と、このベース部材に貫通形成された所定の口径からなる開口部と、アクチュエータの駆動力により前記開口部の遮蔽あるいは開口量の調整（絞り）が可能な光調整部材と、前記開口部を通過する光量を調整可能なＮＤフィルタとを備え、
前記ＮＤフィルタは、前記開口部を覆う方向あるいは待避する方向に移動可能になっており、前記ベース部材には、前記アクチュエータの駆動力が伝達されて所定の回転角度回転可能な駆動リングが配設されていると共に、前記ＮＤフィルタを回動自在に支持するフィルタ支持部が形成され、前記駆動リングを時計回り方向または反時計回り方向に所定の角度回転させると、前記ＮＤフィルタが前記開口部を覆う方向あるいは待避する方向に移動可能になっていることを特徴とする絞り兼用シャッタ装置。
【請求項２】
前記ＮＤフィルタは、フィルタ部を支持した支持板が前記開口部を覆う方向に所定の付勢力で弾性付勢され、薄板状の前記光調整部材は、複数枚配設されて前記ベース部材に形成した複数の羽根支持部にそれぞれ支持され、前記ＮＤフィルタの前記支持板には、前記複数の羽根支持部の一つが係合可能なカム孔が形成され、前記駆動リングの回転に連動して、前記羽根支持部に沿って前記カム孔内のカム面が摺動することにより、前記ＮＤフィルタが前記移動可能になっていることを特徴とする請求項１記載の絞り兼用シャッタ装置。
【請求項３】
前記光調整部材には、前記開口部の前記開口量を調整可能なスリット状の長孔が形成され、前記カム孔が係合可能な前記羽根支持部を前記長孔に係合させて、前記駆動リングの回転に連動して、前記羽根支持部に沿って前記長孔の内面が摺動するようにしたことを特徴とする請求項２記載の絞り兼用シャッタ装置。
【請求項４】
前記ベース部材には、前記開口部から待避した状態の前記ＮＤフィルタの動きをロック可能なロック機構が配設されていることを特徴とする請求項１乃至３のいずれかに記載の絞り兼用シャッタ装置。
【請求項５】
前記ロック機構は、前記ベース部材に配設したロック部材とこのロック部材が弾接可能な前記ＮＤフィルタの前記支持板に形成したロック部とからなることを特徴とする請求項４記載の絞り兼用シャッタ装置。
【請求項６】
前記ロック部材は、前記ベース部材に回動可能に支持されると共に一端部にロックピンが形成されていることを特徴とする請求項５記載の絞り兼用シャッタ装置。
【請求項７】
前記ロック部は、前記ロックピンが弾接して係合可能な凹状に形成されていることを特徴とする請求項６記載の絞り兼用シャッタ装置。
【請求項８】
前記光調整部材と前記ＮＤフィルタとの間には仕切板が配設されていることを特徴とする請求項１乃至７のいずれかに記載の絞り兼用シャッタ装置。
【請求項９】
前記ＮＤフィルタの上部には、前記ＮＤフィルタを覆うカバー部材が配設され、前記ＮＤフィルタの前記支持板の一部には、前記カバー部材に当接して摺動可能な複数の凸部が形成されていることを特徴とする請求項２乃至８にいずれかに記載の絞り兼用シャッタ装置。
【発明の詳細な説明】
【技術分野】
【０００１】
本発明は、絞り兼用シャッタ駆動装置に係わり、デジタルムービーカメラあるいはデジタルスチルカメラ等に用いられる絞り兼用シャッタ駆動装置に関する。
【背景技術】
【０００２】
従来の絞り兼用シャッタ駆動装置を、図ｘに基づいて説明すると、円環状のマグネット１には、中央部に嵌合部１ａが形成されると共に上面側に突出するダボ１ｂと下面側に突出するダボ１ｃ、１ｄとが形成されている。
前記マグネット１は、円周方向にｎ等分されてＳ極・Ｎ極が交互に着磁されている。
また、マグネット１の上部には、円筒状のコイル２が、絶縁材料からなるボビン３に巻き付けられて配設されている。前記ボビン３には、ダボ３ａが突出形成されている。
【０００３】
また、コイル２の上部には、軟磁性材料からなるステータ４が配設され、コイル２への通電により励磁される櫛歯状の第１磁極部４ａ、４ｂ、４ｃ、４ｄ、４ｅを有している。そして、コイル２に通電すると磁極部４ａ〜４ｅは全て同極に励磁されるようになっている。
また、嵌合部１ａに嵌合リング６を嵌合させたマグネット１の下部には、コイル２によって磁極部４ａ〜４ｅとは逆の極性が励磁される平第２の磁極部である板状の羽根押さえ板９が配設されている。前記羽根押さえ板９の中央には、最大開口部９ａが形成されている。
【０００４】
また、羽根押さえ板９の下部には、シャッター羽根７、８を介して中央に開口部５ａが形成された地板５が配設され、ダボ５ｂ、５ｃが形成されていると共にマグネット１のダボ１ｃ、１ｄが係合可能な長孔５ｄ、５ｅが形成されている。
そして、マグネット１が回転することによりダボ１ｃ、１ｄが長孔５ｄ、５ｃに当接することにより、マグネット１の回転角度が措定角度で規制されるようになっている。
【０００５】
また、シャッター羽根７設けられた丸孔７ａが地板５のダボ５ｃに回転自在に嵌合し、丸孔７ｂがマグネット１のダボ１ｄに摺動自在に嵌合している。シャッター羽根８設けられた丸孔８ａが地板５のダボ５ｂに回転自在に嵌合し、丸孔８ｂがマグネット１のダボ１ｃに摺動自在に嵌合している。
また、地板５の下部には、ＮＤフィルタ板１０が配設され、孔１０ａが地板５の下面に形成したダボ（図示せず）に回転自在に嵌合している。前記ＮＤフィルタ板１０には、光の透過率が小さなフィルタ１０ｂが接着剤等で貼付されている。
そして、ＮＤフィルタ板１０が孔１０ａを支点として回転することにより、フィルタ１０ｂが羽根押さえ板９の開口部９ａを覆う位置と開口部９ａから待避した位置との間を移動し、開口部９ａを通過する光量を調整する。
【０００６】
また、ステータ４上には連動レバー１１が配設されており、孔１１ａがボビン３のダボ３ａに回転自在に取り付けられている。また、連動レバー１１の溝部１１ｂは、マグネット１のダボ１ｂに摺動自在に嵌合しており、マグネット１が回転すると、この回転に応じた角度だけ孔１１ａを中心として回転するようになっている。
前記連動ラバー１１には、ギア部１１ｃが形成され、このギア部１１ｃに入力ギア１２のギア部１２ａが噛み合っている。
【０００７】
前記入力ギア１２は、内部にラチエット部材（図示せず）を有する出力部材１３と共にワンウエイクラッチを構成している。また、出力部材１３のピン１３ｂがＮＤフィルタ板１０の長孔１０ｃと摺動可能に嵌合している。
そして、出力部材１３の回転に応じて、フィルタ１０ｂが羽根押さえ板９の開口部９ａを覆う位置と開口部９ａから待避した位置との間を移動
【０００８】
このような構成の従来の絞り兼用シャッタ駆動装置におけるマグネット１とＮＤフィルタ板１０との動作を説明すると、例えばコイル２に対して非通電時は、羽根押さえ板９の開口部９ａから待避した位置に安定的に停止しているとする。
この時のフィルタ１０ｂは、出力部材１３のピン１３ｂによって、羽根押さえ板９の開口部９ａから待避した位置に保持された第１の露光状態となっている。
この状態から、コイル２に通電を行い、ステータ４の磁極部４ａ〜４ｅのＳ極に励磁すると、マグネット１は回転方向の電磁力を受け、マグネット１は、時計回り方向に所定角度回転開始して、この位置で安定的に保持される。
【０００９】
この時の入力ギア１２は、連動レバー１１を介して回転するが、出力部材１３は内部のラチエットギアの作用で回転しないようになっている。そのために、ＮＤフィルタ板１０のフィルタ１０ｂは、羽根押さえ板９の開口部９ａから回避した位置のままである。
ここで、コイル２への通電方向を反対にすると、ステータ４の磁極部４ａ〜４ｅがＮ極に励磁されて、マグネット１は反時計回り方向に所定角度回転して、この位置で安定的に保持される。
【００１０】
また、マグネット１の反転に連動して入力ギア１２も反転し、出力部材１３のラチエットギアの作用で出力部材が反時計回り方向に所定角度回転する。
これの伴って、出力部材１３のピン１３ｂにより、フィルタ１０ｂが羽根押さえ板９の開口部９ａを覆う位置まで回転する。
このことにより、開口部９ａを通過する光量が第１の露光状態より少ない第２の露光状態となる。
【特許文献１】特開２００２−３４５２２５号公報
【特許文献２】特開２００３−１１１３７６号公報
【発明の開示】
【発明が解決しようとする課題】
【００１１】
しかし、前述したような従来の絞り兼用シャッタ駆動装置は、ＮＤフィルタ板１０が地板５の裏面に密着しているために、回転させた時のＮＤフィルタ板１０と地板５との摺動負荷が大きくなって、コイル２に通電してもＮＤフィルタ板１０を回転操作できなくなるおそれがあった。
また、ＮＤフィルタ板１０を回転駆動するために、連動レバー１１、入力ギア１２入力部材１３等の部品を用いていたので部品点数が多くなり組立が複雑になる問題があった。
本発明は、前述したような課題に鑑みてなされたものであり、ＮＤフィルタを回動させるときに発生する摺動負荷を小さくすると共に、ＮＤフィルタを駆動する機構を簡単にして部品点数を少なくすることができる絞り兼用シャッタ駆動装置を提供することを目的とする。
【課題を解決するための手段】
【００１２】
前記課題を解決するための第１の解決手段として本発明の絞り兼用シャッタ駆動装置は、所定厚さのベース部材と、このベース部材に貫通形成された所定の口径からなる開口部と、アクチュエータの駆動力により前記開口部の遮蔽あるいは開口量の調整（絞り）が可能な光調整部材と、前記開口部を通過する光量を調整可能なＮＤフィルタとを備え、
前記ＮＤフィルタは、前記開口部を覆う方向あるいは待避する方向に移動可能になっており、前記ベース部材には、前記アクチュエータの駆動力が伝達されて所定の回転角度回転可能な駆動リングが配設されていると共に、前記ＮＤフィルタを回動自在に支持するフィルタ支持部が形成され、前記駆動リングを時計回り方向または反時計回り方向に所定の角度回転させると、前記ＮＤフィルタが前記開口部を覆う方向あるいは待避する方向に移動可能になっていることを特徴とする。
【００１３】
また、前記課題を解決するための第２の解決手段として、前記ＮＤフィルタは、フィルタ部を支持した支持板が前記開口部を覆う方向に所定の付勢力で弾性付勢され、薄板状に形成された前記光調整部材は、複数枚配設されて前記ベース部材に形成した複数の羽根支持部にそれぞれ支持され、前記ＮＤフィルタの前記支持板には、前記複数の羽根支持部の一つが係合可能なカム孔が形成され、前記駆動リングの回転に連動して、前記羽根支持部に沿って前記カム孔内のカム面が摺動することにより、前記ＮＤフィルタが前記移動可能になっていることを特徴とする。
【００１４】
また、前記課題を解決するための第３の解決手段として、前記光調整部材には、前記開口部の前記開口量を調整可能なスリット状の長孔が形成され、前記カム孔が係合可能な前記羽根支持部を前記長孔に係合させて、前記駆動リングの回転に連動して、前記羽根支持部に沿って前記長孔の内面が摺動するようにしたことを特徴とする。
【００１５】
また、前記課題を解決するための第４の解決手段として、前記ベース部材には、前記開口部から待避した状態の前記ＮＤフィルタの動きをロック可能なロック機構が配設されていることを特徴とする。
【００１６】
また、前記課題を解決するための第５の解決手段として、前記ロック機構は、前記ベース部材に配設したロック部材とこのロック部材が弾接可能な前記ＮＤフィルタの前記支持板に形成したロック部とからなることを特徴とする。
【００１７】
また、前記課題を解決するための第６の解決手段として、前記ロック部材は、前記ベース部材に回動可能に支持されると共に一端部にロックピンが形成されていることを特徴とする。
【００１８】
また、前記課題を解決するための第７の解決手段として、前記ロック部は、前記ロックピンが弾接して係合可能な凹状に形成されていることを特徴とする。
【００１９】
また、前記課題を解決するための第８の解決手段として、前記光調整部材と前記ＮＤフィルタとの間には仕切板が配設されていることを特徴とする。
【００２０】
また、前記課題を解決するための第９の解決手段として、前記ＮＤフィルタの上部には、前記ＮＤフィルタを覆うカバー部材が配設され、前記ＮＤフィルタの前記支持板の一部には、前記カバー部材に当接して摺動可能な複数の凸部が形成されていることを特徴とする。
【発明の効果】
【００２１】
本発明の絞り兼用シャッタ装置は、駆動リングを時計回り方向または反時計回り方向に所定の角度回転させると、ＮＤフィルタが開口部を覆う方向あるいは待避する方向に移動可能になっているので、光調整部材による絞り動作と同時にＮＤフィルタを動作させることができ操作性がよい。
【００２２】
また、駆動リングの回転に連動してカム孔内のカム面が羽根支持部に沿って摺動することにより、ＮＤフィルタが移動可能になっているので、カム面のカム面のカーブを変えることにより、光調整部材による絞り動作とＮＤフィルタの動作とのタイミングを容易にずらすことができる。そのために、絞り量に対応してＮＤフィルタが開口部を覆う量を容易に可変することができ、設計の自由度を向上できる。
【００２３】
また、ＮＤフィルタのカム孔が係合可能な羽根支持部を光調整部材の長孔に係合させて、駆動リングの回転に連動して、長孔の内面が羽根支持部に沿って摺動するようにしたので、駆動リングの回転で光調整部材とＮＤフィルタとの両方を駆動させることができる。
そのために、部品点数の少ない絞り兼用シャッタ装置を提供できる。
【００２４】
また、ベース部材には、開口部から待避した状態のＮＤフィルタの動きをロック可能なロック機構が配設されているので、必要のないときのＮＤフィルタは、ロック機構でロックして動きを規制することができる。
【００２５】
また、ロック機構は、ベース部材に配設したロック部材とこのロック部材が弾接可能なＮＤフィルタの支持板に形成したロック部とからなるので、構造が簡単なロック機構で、ＮＤフィルタをロックすることができる。
【００２６】
また、ロック部材は、ベース部材に回動可能に支持されると共に一端部にロックピンが形成されているので、ロックピンでＮＤフィルタを確実にロックすることができる。
【００２７】
また、ロック部は、ロックピンが弾接して係合可能な凹状に形成されているので、ロックピンを凹状のロック部に確実に係合させてロックすることができる。
【００２８】
また、光調整部材とＮＤフィルタとの間には仕切板が配設されているので、仕切板によって、光調整部材とＮＤフィルタとの干渉を防止できる。
【００２９】
また、ＮＤフィルタの上部には、ＮＤフィルタを覆うカバー部材が配設され、ＮＤフィルタの支持板の一部には、カバー部材に当接して摺動可能な複数の凸部が形成されているので、凸部がカバー部材と摺動して、ＮＤフィルタを低トルクで回動させることができる。
【発明を実施するための最良の形態】
【００３０】
以下、本発明に関する絞り兼用シャッタ駆動装置の実施の形態を図１〜図１０に基づいて説明する。図１は本発明に関する絞り兼用シャッタ駆動装置の分解斜視図であり、図２は本発明に係わるＮＤフィルタを説明する平面図であり、図３は本発明に係わる光調整部材の動作を説明する平面図であり、図４〜図１０は本発明の係わるＮＤフィルタの動作を説明する平面図である。
【００３１】
まず、本発明の実施の形態の絞り兼用シャッタ駆動装置電気は、図１に示すように、最下部には、後述する駆動リング８を所定角度往復回動駆動させるための駆動源であるアクチュエータ２１が配設されている。
このアクチュエータ２１は、樹脂材料からなる支持部材２２を有し、この支持部材２２は、外周面の側壁２２ａが円弧状に形成されている。また、支持部材２２は、側壁２２ａの内周面側に、２つのコイル収納部２２ｂが、中央部の仕切壁２２ｃを挟んで左右に２つ隣り合って形成されている。
【００３２】
前記側壁２２ａの図示手前側と奥側および仕切壁２２ｃからは、それぞれ上方に突出して鈎状に形成れたスナップ係支部２２ｄがそれぞれ形成されている。
前記スナップ係支部２２ｄは、後述するベース部材２５にスナップ係支可能になっている。また、コイル収納部２２ｂには、磁性材料からなり外形が略Ｕ字状に形成された一対のヨーク２３が取り付けられ、このヨーク２３に空芯部２４ａが支持されてコイル２４がそれぞれ取り付けられて、アクチュエータ２１が組み立てられている。
【００３３】
前記アクチュエータ２１は、外形が略円形状のベース部材２５の裏面に、それぞれのスナップ係支部２２ｄがスナップ係支されて取り付けられている。
前記ベース部材２５は、樹脂材料等からなり、図１、図３に示すように、外形が略円形状に形成され、その中心部には、所定の開口径からなる円形状の開口部２５ａが貫通形成され、この開口部２５ａの周囲には、表面が平坦状でリング状に突出形成された羽根支持面２５ｂが形成されている。
また、ベース部材２５は、外周部に所定の幅寸法と高さ寸法で周壁２５ｃが形成されている。
【００３４】
また、羽根支持面２５ｂと周壁２５ｃとの間には、所定深さで彫り込みされたリング状の溝部２６が形成され、この溝部２６に後述する駆動リング２０が回動自在に位置するようになっている。
また、図１に示す溝部２６の底面には、図示左側に所定の幅寸法と長さ寸法で円弧状に形成された駆動孔２６ａと、図示手前側に駆動孔２６ａより若干細幅に形成されたセンサ孔２６ｂとが貫通形成されている。
また、図示右側の溝部２６からは、後述する光調整部材３５を回動自在に支持する羽根支持部である第１、第２、第３のピン２６ｃ、２６ｄ、２６ｅが、それぞれ１２０°の等間隔の位置に所定の太さと高さ寸法で突出形成されている。
【００３５】
また、ベース部材２５の図示右側に形成した羽根支持部である第１のピン２６ｃの図示下方近傍には、第１のピン２６ｃと太さが略同じ第４のピン２６ｆが突出形成され、この第４のピン２６ｆの図示下方近傍に、第４のピン２６ｆより太く形成された第５のピン２６ｇが突出形成されている。
また、ベース部材２５には、第１のピン２６ｃの図示上方側に、羽根支持面２５ｂより高く形成されたフィルタ支持面２６ｈが設けられ、このフィルタ支持面２６ｈからは、後述するＮＤフィルタ３７を回動自在に支持する所定太さのフィルタ支持部２６ｊが突出形成されている。
【００３６】
また、溝部２６には、溝部２６のリング形状に倣ってリング状に形成された駆動リング２７が、所定の角度範囲内を回転自在に配設されている。前記駆動リング２７には、１２０°の等間隔の位置に３本の第１、第２、第３駆動ピン２７ａ、２７ｂ、２７ｃが所定高さで突出形成されている。
また、駆動リング２７の図示右側の第１駆動ピン２７ａの外側には、ロック解除ピン２７ｄが突出形成されている。
また、駆動リング２７の下面側には、略円弧状で所定の幅寸法の駆動磁石２８が接着剤等で固着され、この駆動磁石２８の図示左側には、駆動磁石２８より幅狭で略円弧状のセンサ磁石２９が接着剤等で固着されている。
前記駆動磁石２８は、下面に一方の磁極が着磁され、上面に他方の磁極が着磁されている。また、センサ磁石２９は、円弧状の一端部側に一方の磁極が着磁され、他端部側に他方の磁極が着磁されている。
【００３７】
このような駆動リング２７は、駆動磁石２８を駆動孔２６ａに、センサ磁石２９をセンサ孔２６ｂにそれぞれ位置合わせして、ベース部材２５の溝部２６に載置されている。
前記駆動磁石２８と対向するベース部材２５の下方側には、アクチュエータ２１がスナップ係支可能になっている。そして、ベース部材２５にアクチュエータ２１をスナップ係支すると、駆動磁石２８と対向する位置に所定寸法のギャップを有してコイル２４が位置するようになっている。
この状態の一対のコイル２４は、一方のコイル２４に所定の電流を通電することにより発生する磁束が、駆動磁石２８を反発する方向に作用し、他方のコイル２４に一方のコイル２４と反対方向の電流を通電することにより発生する磁束が、駆動磁石２８を吸着する方向に作用する。
このことにより、駆動リング２７が一方向に所定の回転角度範囲内を回転するようになっている。また、それぞれのコイル２４への通電方向を逆にすることにより、駆動リング２７は反対の他方向に回転するようになっている。
【００３８】
また、センサ磁石２９の下方側には、センサ磁石２９と対向してホール素子（図示せず）が配設され、回転する駆動リング２７の回転角度を検出および位置制御が可能になっている。
また、溝部２６に載置した駆動リング２７の図示左側の上面には、板状で平滑な摺動面３０ａを有する羽根受け板３０が配設されている。前記摺動面３０ａは、ベース部材２５の羽根支持面２５ｂより若干に高くなるように配設され、摺動面３０ａ上を後述する光調整部材３５の一部が摺動可能になっている。
【００３９】
また、ベース部材２５の第１のピン２６ｃ〜第３のピン２６ｅには、それぞれ第１バネ部材３１が挿入支持されている。また、第４のピン２６ｆには、第２バネ部材３２が、第５のピン２６ｇには、第３バネ部材３３がそれぞれ挿入支持されている。
前記第２バネ部材３２を挿入支持した第４のピン２６ｆには、ロック部材３４の嵌合孔３４ａが嵌合支持されている。前記ロック部材３４は、図３に示すように、外周部側が第３バネ部材３３に弾性付勢されて、反時計回り方向（内向き）に常時付勢されている。
【００４０】
また、ロック部材３４は、図３に示すように、図示上方端部にロックピン３４ｂが突出形成され、このロックピン３４ｂが、ベース部材２５の開口部２５ａから待避した状態の後述するＮＤフィルタ３７のロック部３９ｃに弾接して、ＮＤフィルタ３７の動きをロック可能になっている。
即ち、ロック部材３４は、後述するＮＤフィルタ３７が開口部２５ａから待避した状態でＮＤフィルタ３７の動きをロック可能なロック機構となっている。
【００４１】
また、羽根支持部である第１のピン２６ｃ〜第３のピン２６ｅには、ステンレス板等からなる薄板状の絞り羽根である複数の光調整部材３５が回動自在に支持されている。前記それぞれの光調整部材３５は、第１のピン２６ｃ〜第３のピン２６ｅに支持可能な支持孔３５ａが一端部側に形成され、この支持孔３５ａと対向する他端部側に面積の大きな羽根部３５ｂが形成され、この羽根部３５ｂで開口部２５ａを遮蔽可能になっている。
また、羽根部３５ｂには、支持孔３５ａ寄りの位置に、スリット状の長孔３５ｃが形成され、この長孔３５ｃに駆動リング２７の駆動ピン２７ａが嵌合するようになっている。
【００４２】
そして、３枚の光調整部材３５は、それぞれの支持孔３５ａを第１のピン２６ｃ〜第３のピン２６ｅに支持した状態で、それぞれの羽根部３５ｂが互いに重なり合って配設されている。
前記３枚の光調整部材３５は、アクチュエータ２１のコイル２４に通電して、駆動リング２７が右回転あるいは左回転することにより、羽根支持部である第１〜第３駆動ピン２７ａ〜２７ｃに沿って、それぞれの長孔３５ｃの内面が摺動して、光調整部材３５が、開口部２５ａを遮蔽する方向あるいは開口部を開放する方向に移動可能になっている。
【００４３】
そして、駆動リング２７が反時計回り方向に回転すると、第１〜第３駆動ピン２７ａ〜２７ｃに沿って、それぞれの長孔３５ｃの内面が摺動して、羽根部３５ｂが開口部２５ａを開放する方向に回動する。このことにより、図３に示すように、開口部２５ａを開放した開放状態になるようになっている。
また、駆動リング２７が時計回り方向に回転すると、羽根部３５ｂが開口部１８ａを遮蔽する方向に回動する。このことにより、３枚の羽根部３５ｂが重なり合って、光調整部材３５が開口部２５ａを遮蔽した遮蔽状態（図示せず）になるようになっている。
【００４４】
また、それぞれの光調整部材３５は、第１のピン２６ｃ〜第３のピン２６ｅに挿入支持された第１バネ部材３１に、支持孔３５ａ近傍が掛け止めされて開口部２５ａを遮蔽する方向に弾性付勢されている。
そのために、光調整部材３５が開口部２５ａを遮蔽する方向あるいは開放する方向に回動時に、駆動リング２７の第１〜第３駆動ピン２７ａ〜２７ｃと、それぞれの長孔３５ｃとの間で発生するバックラッシュを防止できるようになっている。
【００４５】
また、３枚の光調整部材３５上には、ステンレス等からなる薄板の仕切板３６が配設されている。前記仕切板３６は、外形が略円形状の基部３６ａを有し、この基部３６ａの外周部には、幅寸法がそれぞれ異なる３つの突出部３６ｂ、３６ｃ、３６ｄが外向きに形成され、これらの突出部３６ｂ、３６ｃ、３６ｄが、ベース部材２５の周壁２５ｃ内部に位置決めされて固定可能になっている。
また、仕切板３６の基部３６ａの中心部には、ベース部材２５の開口部２５ａと中心が同じで開口部２５ａより若干開口径が大きい開口部３６ｅが形成されている。
また、基部３６ａには、駆動リング２７の３本の駆動ピン２７ａが位置した状態で駆動リング２７が所定量回動可能な円弧状の長孔３６ｆが１２０°の等間隔の位置に形成されている。
【００４６】
また、仕切板３６からは、ベース部材２５のフィルタ支持部２６ｊが上方に所定高さで突出しており、このフィルタ支持部２６ｊにＮＤフィルタ３７が回動自在に支持されている。
前記ＮＤフィルタ３７は、図２に示すように、例えば樹脂材料で形成された薄板状の支持板３８を有し、この支持板３８の一端部寄りである図示右側に、係支部３９が形成されている。前記係支部３９には、ベース部材２５のフィルタ支持部２６ｊに回動自在に嵌合可能な支持孔３９ａが形成され、この支持孔３９ａ近傍の周囲に３個の凸部３９ｂが所定高さで形成されている。
また、係支部３９の図示右側で外側端部が部分的に凹状に形成されてロック部３９ｃが設けられている。そして、ロック部３９ｃにロック部材３４のロックピン３４ｂが係合すると、ＮＤフィルタ３７がロックされて動きが規制されるようになっている。
【００４７】
また、ＮＤフィルタ３７には、支持板３８の図示左側の他端部側に、複数のフィルタ支持部３８ａが形成され、このフィルタ支持部３８ａにＮＤ（ｎｅｕｔｒａｌ  ｄｅｎｓｉｔｙ）フィルタからなるフィルタ部４０が接着剤等で固着されている。
前記フィルタ部４０がベース部材２５の開口部２５ａを覆うことによって、開口部２５ａを通過する光量が第１の露光状態より少ない第２の露光状態になるようになっている。
【００４８】
また、ＮＤフィルタ３７は、フィルタ部４０と係支部３９との間の支持板３８に、内面にカム面３８ｂを有するカム孔３８ｃが形成されている。このカム孔３８ｃに、光調整部材３５の長孔３５ｃに挿通して係合する駆動リング２７の図示右側の第１駆動ピン２７ａが係合するようになっている。
そして、ＮＤフィルタ３７のフィルタ部４０が開口部２５ａを覆った状態で、駆動リング２７を所定角度反時計回り方向に回転することで、移動する駆動ピン２７ａに沿ってカム面３８ｂが摺動して、フィルタ部４０が開口部２５ａから待避する方向に移動するようになっている。
【００４９】
前記ＮＤフィルタ３７の支持板３８には、フィルタ部４０を支持した部分の図示上部、およびカム孔３８ｃを形成した部分の図示下部に、所定の高さ寸法で突出する複数の凸部３８ｄがそれぞれ形成されている。
また、ＮＤフィルタ３７は、支持板３８の図示右側端部で、係支部３９の上部が切り欠きされて、バネ受け部３８ｅが形成されており、このバネ受け部３８ｅが第２バネ部材３２に弾性付勢されて、フィルタ部４０がベース部材２５の開口部２５ａを遮蔽する方向に常時付勢されている。
また、カム孔３８ｃのカム面３８ｂには、ロック面３８ｆが形成され、このロック面３８ｆに、第１駆動ピン２７ａが位置することによりＮＤフィルタ３７がロック部材３４によってロック可能になっている。
【００５０】
このような構成のＮＤフィルタ３７は、仕切板３６を介して光調整部材３５上に配置されているので、ＮＤフィルタ３７と光調整部材３５の両方が同時に回動したとしても、互いに干渉することがない。
また、ベース部材２５の周壁２５ｃ内には、駆動リング２７および３枚の光調整部材３５、仕切板３６、ＮＤフィルタ３７が積層配置され、ＮＤフィルタ３７の上には、ＮＤフィルタ３７を覆う金属板からなるカバー部材４１が配設されている。
【００５１】
前記カバー部材４１には、ベース部材２５の開口部１８ａと対向する中央部に開口部２５ａより若干大きめの開口部４１ａが貫通形成されている。
そして、カバー部材４１の外周部の一部に半円状の凹部４１ｂが形成され、この凹部４１ｂにＮＤフィルタ３７の係支部３９が位置するようになっている。
また、カバー部材４１の外周部には、下方に折り曲げ形成して支持部４１ｃが設けられ、この支持部４１ｃがベース部材２５にスナップ係支可能になっている。
【００５２】
このような構成の本発明の絞り兼用シャッタ駆動装置の組立は、まず、アクチュエータ２１をスナップ係支した状態のベース部材２５の上方から、駆動リング２７、ロック部材３４、および３枚の光調整部材３５、仕切板３６、ＮＤフィルタ３７等を順番に載置する。
その後、ＮＤフィルタ３７の上方からカバー部材４１をかぶせて、カバー部材４１をベース部材２５にスナップ係支することにより、本発明の絞り兼用シャッタ駆動装置が組み立てられている。
【００５３】
このような本発明に係わるＮＤフィルタ３７は、上部にカバー部材４１がかぶせられても、ＮＤフィルタ３７の支持板３８に形成した複数の凸部３８ｄが、カバー部材４１の内面に摺動可能に当接するようになっているので、回動するＮＤフィルタ３７とカバー部材４１との摩擦抵抗を小さくすることができる。
そのために、駆動リング２７の回転トルクが小さくても、ＮＤフィルタ３７を、確実に回動させることができる。
【００５４】
このような本発明の絞り兼用シャッタ駆動装置を、例えばデジタルムービーカメラまたはデジタルスチルカメラ等に搭載したもので動作を説明すると、まず、操作者がカメラ（図示せず）側の絞りボタンを操作して行う絞り動作を説明すると、アクチュエータ２１のコイル２４に通電されて、コイル２４に磁束が発生する。このコイル２４に発生する磁束が駆動磁石２８に作用して、例えば駆動リング２７が反時計回り方向に回転すると、図３に示すような、光調整部材３５が開口部２５ａを開放した状態になる。
【００５５】
前記光調整部材３５が開口部２５ａを開放する方向に駆動リング２７が回転すると、センサ磁石２２と対向する位置にあるホール素子（図示せず）から出力される出力電圧が変化する。このホール素子からの出力電圧の変化が制御部（図示せず）で検出される。
そして、制御部が検出するホール素子の出力電圧が、所望の絞り口径と対応する値になると、コイル２４への通電が停止されて、駆動リング２７の回転がストップする。
【００５６】
この時、駆動リング２７に取り付けた駆動磁石２８は、自身の磁力で磁性材料であるヨーク２３に対して吸引力が働き、この吸引力によって、回転がストップした位置で駆動リング２７の動きを規制することができる。
そして、図４に示すように、３枚の光調整部材３５が開口部２５ａを部分的に遮蔽した状態においても、コイル２４への通電を停止することにより、駆動磁石２８のヨーク２３に対する吸引力で、駆動リング２７の動きを規制することができる。
また、カメラ側のシャッターボタンを操作するシャッタ動作は、開口部２５ａを開放した状態の光調整部材３５は、駆動リング２７を時計回り方向に回転駆動することで、３枚の光調整部材３５が瞬時に開口部２５ａを遮蔽（図示せず）して、シャッター動作を行うことができる。
【００５７】
前述したような光調整部材３５の絞り動作時、あるいはシャッター動作時におけるＮＤフィルタ３７は、図５に示すように、凹状のロック部３９ｃに、ロック部材３４のロックピン３４ｂが弾接してロックされて、動きが規制されている。
そして、絞り動作時あるいはシャッター動作時におけるＮＤフィルタ３７のカム孔３８ｃ内に位置する第１駆動ピン２７ａは、カム孔３８ｃ内を移動するが、カム面３８ｂには当接することはない。
そのために、絞り動作時あるいはシャッター動作時においてロック状態にあるＮＤフィルタ３７は、ロックが解除されることはない。
【００５８】
また、開口部２５ａを通過する光量が、第１の露光状態より少ない第２の露光状態にするフィルタ動作を説明すると、まず、図５に示すように、ロック部材３４によりＮＤフィルタ３７がロック状態にあって開口部２５ａが第１の露光状態にある。この時に、ＮＤフィルタ３７を動作させて、前記第２の露光状態にしたい時は、シャッター動作時よりも駆動リング２７を、時計回り方向に更に回転させる。
すると、図６に示すように、駆動リング２７のロック解除ピン２７ｄが、ＮＤフィルタ３７の支持板３８のテーパ状の外周部を押圧する。
前記ロック解除ピン２７ｄに押圧されたＮＤフィルタ３７は、図７に示すように、フィルタ支持部２６ｊに嵌合する支持孔３９ａを支点として反時計回り方向に回動して、ＮＤフィルタ３７のロックが解除される。
【００５９】
すると、第２バネ部材３２の付勢力で、ＮＤフィルタ３７は、フィルタ部４０が開口部２５ａを覆う方向に回動して、開口部２５ａを遮蔽した状態の光調整部材３５上に位置する。
この状態で、アクチュエータ２１を動作させて、駆動リング２７を反時計回り方向に回転させると、光調整部材３５が開口部２５ａを開放する方向に移動すると共に、図８に示すように、移動する羽根支持部材である第１駆動ピン２７ａに沿ってカム面３８ｂが摺動し、ＮＤフィルタ３７が時計回り方向に回動する。
即ち、駆動リング２７を反時計回り方向に回転させることにより、ＮＤフィルタ３７は、フィルタ部４０が開口部２５ａから待避する方向に移動する。
【００６０】
そして、開口部２５ａが所望の絞り量になると、アクチュエータ２１のコイル２４への通電が停止されて、駆動リング２７の反時計回り方向への回転がストップして、光調整部材３５が図８に示すような、所望の絞り量の位置で停止する。
この時のＮＤフィルタ３７は、第１駆動ピン２７ａがカム面３８ｂに当接した状態となって、フィルタ部４０が部分的に開口部２５ａを覆った状態となる。
このことにより、所望の絞り量に絞り込まれた開口部２５ａを通過する光量が第１の露光状態より少ない第２の露光状態とすることができる。
【００６１】
また、図８に示すような状態から、アクチュエータ２１のコイル２４に通電して、駆動リング２７を更に反時計回り方向に回転させると、移動する第１駆動ピン２７ａに沿ってカム面３８ｂが摺動する。これにより、ＮＤフィルタ３７が開口部２５ａから待避する方向に回動する。
そして、ＮＤフィルタ３７は、図９に示すように、第１駆動ピン２７ａに沿ってカム面３８ｂがロック面３８ｆ近傍まで摺動すると、凹状のロック部３９ｃの入り口部にロック部材３４のロックピン３４ｂが位置する。
【００６２】
この状態から、更に駆動リング２７を反時計回り方向に回転させると、図１０に示すように、光調整部材３５が開口部２５ａから完全に待避すると共に、第１駆動ピン２７ａがカム溝３８ｃのロック面３８ｆに位置する。
このことにより、凹状のロック部３９ｃがロック部材３４のロックピン３４ｂに係合してロックされ、ＮＤフィルタ３７の動きが規制される。
そして、ＮＤフィルタ３７がドック部材３４でロックされた状態で、アクチュエータ２１により駆動リング２７を時計回り方向に回転駆動することにより、光調整部材３５が開口部２５ａを遮蔽する方向に回動して、図５に示すような、開口部２５ａを所望の絞り量に絞り込み可能になっている。
【００６３】
尚、本発明の実施の形態では、ＮＤフィルタ３７の凸部３８ｄを、カバー部材４１に対して摺動可能に形成したもので説明したが、仕切板３６に対して摺動可能に形成したものでも良い。
また、ＮＤフィルタ３７のカム孔３８ｃのカム面３８ｂおよびロック面３８ｆの曲線は、図面に記載したものに限定されず、カム面３８ｂおよびロック面３８ｆの曲線を変えることにより、開口部２５ａの絞り量と、ＮＤフィルタ３７による第２の露光状態との関係を容易に変えることができる。
【図面の簡単な説明】
【００６４】
【図１】本発明に関する絞り兼用シャッタ駆動装置の分解斜視図である。
【図２】本発明に係わるＮＤフィルタを説明する平面図である。
【図３】本発明に係わる光調整部材の動作を説明する平面図である。
【図４】本発明の係わるＮＤフィルタの動作を説明する平面図である。
【図５】本発明の係わるＮＤフィルタの動作を説明する平面図である。
【図６】本発明の係わるＮＤフィルタの動作を説明する平面図である。
【図７】本発明の係わるＮＤフィルタの動作を説明する平面図である。
【図８】本発明の係わるＮＤフィルタの動作を説明する平面図である。
【図９】本発明の係わるＮＤフィルタの動作を説明する平面図である。
【図１０】本発明の係わるＮＤフィルタの動作を説明する平面図である。
【図１１】従来の絞り兼用シャッタ駆動装置の分解斜視図である。
【符号の説明】
【００６５】
２１  アクチュエータ
２２  支持部材
２３  ヨーク
２４  コイル
２５  ベース部材
２６  溝部
２７  駆動リング
２８  駆動磁石
２９  センサ磁石
３０  羽根受け板
３１  第１バネ部材
３２  第２バネ部材
３４  ロック部材
３５  光調整部材
３６  仕切板
３７  ＮＤフィルタ
３８  支持板
４０  フィルタ部
４１  カバー部材
【図１】
2005156897.tif 000003
【図２】
2005156897.tif 000004
【図３】
2005156897.tif 000005
【図４】
2005156897.tif 000006
【図５】
2005156897.tif 000007
【図６】
2005156897.tif 000008
【図７】
2005156897.tif 000009
【図８】
2005156897.tif 000010
【図９】
2005156897.tif 000011
【図１０】
2005156897.tif 000012
【図１１】
2005156897.tif 000013